【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置であって、
前記ラベリング手段は、前記画像の減色画像あるいは前記画像の低解像度画像に対して前記ラベリング処理を実行すべきか否かを判断し、実行すべきと判断した場合は、前記減色画像あるいは前記低解像度画像に対して前記ラベリング処理を実行し、実行すべきでないと判断した場合は、前記画像に対して前記ラベリング処理を実行することを特徴とする画像処理装置。
【請求項２】
前記ラベリング手段は、前記減色画像あるいは前記低解像度画像に対して前記ラベリング処理を実行すべきと判断した場合、更に、前記画像内の色数が第１の閾値以上であるか否か判断し、
前記画像内の色数が前記第１の閾値以上であると判断した場合は、前記減色画像に対して前記ラベリング処理を実行し、
前記画像内の色数が前記第１の閾値より少ないと判断した場合は、前記低解像度画像に対して前記ラベリング処理を実行する、ことを特徴とする請求項１に記載の画像処理装置。
【請求項３】
前記ラベリング手段は、前記ラベリング処理の経過時間を計時し、当該計時した経過時間が閾値以上になったときに、前記減色画像あるいは前記低解像度画像に対して前記ラベリング処理を実行すべきと判断し、前記減色画像あるいは前記低解像度画像に対して前記ラベリング処理を実行することを特徴とする請求項１に記載の画像処理装置。
【請求項４】
前記ラベリング手段は、前記減色画像あるいは前記低解像度画像に対して前記ラベリング処理を実行すべきと判断した場合、更に、前記画像内の規定値以上のエッジ強度を有するエッジ数が第２の閾値以上であるか否か判断し、
前記エッジ数が前記第２の閾値以上であると判断した場合は、前記減色画像に対して前記ラベリング処理を実行し、
前記エッジ数が前記第２の閾値より小さい場合は、前記低解像度画像に対して前記ラベリング処理を実行する、ことを特徴とする請求項１に記載の画像処理装置。
【請求項５】
前記ラベリング手段は、前記画像に含まれるエッジの数から前記ラベリング処理に要する時間を予測し、当該予測した時間に基づいて、前記減色画像あるいは前記低解像度画像に対して前記ラベリング処理を実行すべきか否かを判断し、
実行すべきと判断した場合は、前記減色画像あるいは前記低解像度画像に対して前記ラベリング処理を実行し、
実行すべきでないと判断した場合は、前記画像に対して前記ラベリング処理を実行する
ことを特徴とする請求項１に記載の画像処理装置。
【請求項６】
前記画像は、スキャンして得た画像を規定のサイズで分割することにより得た矩形画像であることを特徴とする請求項１乃至５のいずれか１項に記載の画像処理装置。
【請求項７】
前記ベクトル化手段で生成されたベクトルデータを用いて印刷処理を行う印刷手段を、更に有することを特徴とする請求項１乃至６のいずれか１項に記載の画像処理装置。
【請求項８】
受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置であって、
前記ベクトル化手段により生成されたベクトルデータの量が予め設定された量より大きい場合、前記画像の減色画像あるいは前記画像の低解像度画像に対して、前記ラベリング手段によるラベリング処理と前記ベクトル化手段によるベクトルデータ生成処理とを再度実行させるように制御する制御手段を備えることを特徴とする画像処理装置。
【請求項９】
前記制御手段は、
前記ラベリング手段あるいは前記ベクトル化手段による処理時間が、閾値以上かかると判断した場合、前記減色画像あるいは前記低解像度画像に対して前記ラベリング手段によるラベリング処理と前記ベクトル化手段によるベクトルデータ生成処理とを再度実行させるように制御することを特徴とする請求項８に記載の画像処理装置。
【請求項１０】
前記制御手段は、
前記画像が文字領域以外の画像部分で、且つ前記ベクトル化手段により生成されたベクトルデータの量が予め設定された量より大きい場合、前記減色画像あるいは前記低解像度画像に対して、前記ラベリング手段によるラベリング処理と前記ベクトル化手段によるベクトルデータ生成処理とを再度実行させるように制御し、
前記画像が文字領域の画像部分で、且つ前記ベクトル化手段により生成されたベクトルデータの量が予め設定された量より少ない場合、前記画像をビットマップデータのまま出力するように制御することを特徴とする請求項８に記載の画像処理装置。
【請求項１１】
受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置が行う画像処理方法であって、
前記ラベリング手段は、前記画像の減色画像あるいは前記画像の低解像度画像に対して前記ラベリング処理を実行すべきか否かを判断し、実行すべきと判断した場合は、前記減色画像あるいは前記低解像度画像に対して前記ラベリング処理を実行し、実行すべきでないと判断した場合は、前記画像に対して前記ラベリング処理を実行することを特徴とする画像処理方法。
【請求項１２】
受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置が行う画像処理方法であって、
前記画像処理装置の制御手段が、前記ベクトル化手段により生成されたベクトルデータの量が予め設定された量より大きい場合、前記画像の減色画像あるいは前記画像の低解像度画像に対して、前記ラベリング手段によるラベリング処理と前記ベクトル化手段によるベクトルデータ生成処理とを再度実行させるように制御する制御工程を備えることを特徴とする画像処理方法。
【請求項１３】
コンピュータを、
受信した画像内に含まれている１以上のオブジェクト領域を特定するためのラベリング処理を実行するラベリング手段、
前記ラベリング手段によるラベリング結果に基づいてベクトルデータを生成するベクトル化手段、として機能させるためのコンピュータプログラムであって、
前記ラベリング手段は、前記画像の減色画像あるいは前記画像の低解像度画像に対して前記ラベリング処理を実行すべきか否かを判断し、実行すべきと判断した場合は、前記減色画像あるいは前記低解像度画像に対して前記ラベリング処理を実行し、実行すべきでないと判断した場合は、前記画像に対して前記ラベリング処理を実行することを特徴とするコンピュータプログラム。
【請求項１４】
コンピュータを、
受信した画像内に含まれている１以上のオブジェクト領域を特定するためのラベリング処理を実行するラベリング手段、
前記ラベリング手段によるラベリング結果に基づいてベクトルデータを生成するベクトル化手段、
前記ベクトル化手段により生成されたベクトルデータの量が予め設定された量より大きい場合、前記画像の減色画像あるいは前記画像の低解像度画像に対して、前記ラベリング手段によるラベリング処理と前記ベクトル化手段によるベクトルデータ生成処理とを再度実行させるように制御する制御手段、として機能させるためのコンピュータプログラム。
【請求項１５】
請求項１３または１４に記載のコンピュータプログラムを格納した、コンピュータ読み取り可能な記憶媒体。
【手続補正２】
【補正対象書類名】明細書
【補正対象項目名】００２７
【補正方法】変更
【補正の内容】
【００２７】
即ち、受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置であって、
前記ラベリング手段は、前記画像の減色画像あるいは前記画像の低解像度画像に対して前記ラベリング処理を実行すべきか否かを判断し、実行すべきと判断した場合は、前記減色画像あるいは前記低解像度画像に対して前記ラベリング処理を実行し、実行すべきでないと判断した場合は、前記画像に対して前記ラベリング処理を実行することを特徴とする。
【手続補正３】
【補正対象書類名】明細書
【補正対象項目名】００２９
【補正方法】変更
【補正の内容】
【００２９】
即ち、受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置であって、
前記ベクトル化手段により生成されたベクトルデータの量が予め設定された量より大きい場合、前記画像の減色画像あるいは前記画像の低解像度画像に対して、前記ラベリング手段によるラベリング処理と前記ベクトル化手段によるベクトルデータ生成処理とを再度実行させるように制御する制御手段を備えることを特徴とする。
【手続補正４】
【補正対象書類名】明細書
【補正対象項目名】００３１
【補正方法】変更
【補正の内容】
【００３１】
即ち、受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置が行う画像処理方法であって、
前記ラベリング手段は、前記画像の減色画像あるいは前記画像の低解像度画像に対して前記ラベリング処理を実行すべきか否かを判断し、実行すべきと判断した場合は、前記減色画像あるいは前記低解像度画像に対して前記ラベリング処理を実行し、実行すべきでないと判断した場合は、前記画像に対して前記ラベリング処理を実行することを特徴とする。
【手続補正５】
【補正対象書類名】明細書
【補正対象項目名】００３３
【補正方法】変更
【補正の内容】
【００３３】
即ち、受信した画像内に含まれている１以上のオブジェクト領域を特定するためのラベリング処理を実行するラベリング手段と、
前記ラベリング手段によるラベリング結果に基づいてベクトルデータを生成するベクトル化手段と、を備える画像処理装置が行う画像処理方法であって、
前記画像処理装置の制御手段が、前記ベクトル化手段により生成されたベクトルデータの量が予め設定された量より大きい場合、前記画像の減色画像あるいは前記画像の低解像度画像に対して、前記ラベリング手段によるラベリング処理と前記ベクトル化手段によるベクトルデータ生成処理とを再度実行させるように制御する制御工程を備えることを特徴とする。
【手続補正６】
【補正対象書類名】明細書
【補正対象項目名】００３５
【補正方法】変更
【補正の内容】
【００３５】
即ち、コンピュータを、
受信した画像内に含まれている１以上のオブジェクト領域を特定するためのラベリング処理を実行するラベリング手段、
前記ラベリング手段によるラベリング結果に基づいてベクトルデータを生成するベクトル化手段、として機能させるためのコンピュータプログラムであって、
前記ラベリング手段は、前記画像の減色画像あるいは前記画像の低解像度画像に対して前記ラベリング処理を実行すべきか否かを判断し、実行すべきと判断した場合は、前記減色画像あるいは前記低解像度画像に対して前記ラベリング処理を実行し、実行すべきでないと判断した場合は、前記画像に対して前記ラベリング処理を実行することを特徴とする。
【手続補正７】
【補正対象書類名】明細書
【補正対象項目名】００３７
【補正方法】変更
【補正の内容】
【００３７】
即ち、コンピュータを、
受信した画像内に含まれている１以上のオブジェクト領域を特定するためのラベリング処理を実行するラベリング手段、
前記ラベリング手段によるラベリング結果に基づいてベクトルデータを生成するベクトル化手段、
前記ベクトル化手段により生成されたベクトルデータの量が予め設定された量より大きい場合、前記画像の減色画像あるいは前記画像の低解像度画像に対して、前記ラベリング手段によるラベリング処理と前記ベクトル化手段によるベクトルデータ生成処理とを再度実行させるように制御する制御手段、として機能させる。